(57)【要約】【課題】  ブラシ保護キャップの開放動作により円筒部材に内蔵されているブラシを外部に容易に露出することができる化粧用ブラシアセンブリを提供する。【解決手段】  第１の円筒部材は、両端が開放された貫通形ガイド部材が内側下部に固設されている。ブラシ保持体は、第１の円筒部材の内部に摺動自在に収容されブラシが上部に設けられており孔が形成されているボディと、ボディからブラシに向かって上方に延び孔に連通する中空部と上部開口を有する貫通形上方延長部材とを有する。第２の円筒部材は、第１の円筒部材の下部が摺動自在に収容される。保護キャップは、第１の円筒部材の上部に被され、上方延長部材の上部開口に係脱自在に係止する押込突起を有する。長さ可変部材は、ガイド部材の下部に位置するように第２の円筒部材の内側底面に固定される保持板と、保持板から上方延長部材まで延び長手方向に伸縮自在に連結された複数の短片部材を有する。【選択図】        図１
2004167249.tif 000002
【特許請求の範囲】
【請求項１】
両端が開放された貫通形ガイド部材が内側下部に固設されている両端開放形第１の部材と、
前記第１の部材の内部に摺動自在に収容されブラシが上部に設けられており孔が形成されているボディと、前記ボディから前記ブラシに向かって上方に延び前記孔と連通する中空部と上部開口を有する貫通形上方延長部材とを有するブラシ保持体と、
前記第１の部材の下部が摺動自在に収容される第２の部材と、
前記第１の部材の上部に被され、前記上方延長部材の上部開口に係脱自在に係止する押込突起を有する保護キャップと、
前記ガイド部材の下部に位置するように前記第２の部材の内側底面に固定される保持板と、前記保持板から上方に延び長手方向に伸縮自在に連結された複数の短片部材を有する長さ可変部材と、
を有し、
前記複数の短片部材は、前記保持板が連結されており前記ガイド部材に係脱自在に結合する基短片部材と、前記基短片部材に摺動自在に収容され前記ブラシ保持体に結合する結合部とを有する結合短片部材を含み、
前記上方延長部材の内部に位置する前記長さ可変部材の上端部には、ばねにより上方に付勢される筒状部材が設けられている化粧用ブラシアセンブリ。
【請求項２】
前記ガイド部材の上部には内側係止爪を有する弾性片が設けられ、前記保持板に連結された短片部材の外面には前記内側係止爪が係脱自在に係合する係合溝が設けられている請求項１に記載の化粧用ブラシアセンブリ。
【請求項３】
前記弾性片は、凸状構造を有する請求項２に記載の化粧用ブラシアセンブリ。
【請求項４】
前記ボディの下部には、前記弾性片が位置する収容空間が画成されている請求項１に記載の化粧用ブラシアセンブリ。
【請求項５】
前記ブラシ保持体とガイド部材との間には、弾性部材が設けられている請求項１乃至４のいずれかに記載の化粧用ブラシアセンブリ。
【請求項６】
中央に貫通孔が形成されている結束部を下部に有するブラシからなるブラシ部材と、前記ブラシが上方に突出自在に内蔵される第１の部材と、前記第１の部材の下部が摺動自在に収容される第２の部材と、前記第１の部材の上部に被される保護キャップとを有する化粧用ブラシアセンブリにおいて、
前記ブラシが上部に収容され下部に凹溝が形成されている収容部及びこの収容部から下方に延びる貫通体からなるボディを有し、前記収容部には前記ブラシの貫通孔に挿入されるように上方に延び係止段が設けられた貫通口が上端部に形成されている中空形上方延長部材が設けられ、この上方延長部材の中空部にはばねにより付勢される筒状部材が移動自在に内蔵され、前記収容部には前記凹溝と前記上方延長部材の中空部とを連通させる孔が形成されているブラシ保持体と、
前記貫通体が取り外し自在に嵌合され前記第１の部材の中空部の下部に固定され下部面に孔が形成されている筒状ガイド部材と、
前記第２の部材の内側底面に固定される保持板と前記ガイド部材の孔を挿通するように前記保持板から上方に延び上部に開口が形成されている筒状基短片部材を有する保持部材と、前記基短片部材の内部に摺動自在に内蔵され上部に開口が形成されている筒状中間短片部材と、前記中間短片部材の内部に摺動自在に内蔵され前記収容部の凹溝に結合する結合部を上部に有し切欠部を外部側壁に有する中空形結合短片部材と、前記中間短片部材の内側面の上部に跨るように前記結合短片部材の切欠部を横切って設けられる水平部材とこの水平部材から上方に延びて前記結合短片部材の内部と前記収容部の孔を挿通して前記筒状部材の下部に結合する垂直部材を有する最小短片部材とを備えてなる長手方向に伸縮自在の長さ可変部材と、
を含み、
前記保護キャップの内側には、前記上方延長部材の貫通口から前記上方延長部材の内部に挿入され前記係止段に係止する係止爪が設けられた挿入端部を有する押込突起が設けられていることを特徴とする化粧用ブラシアセンブリ。
【請求項７】
前記押込突起の挿入端部は、円錐構造または角錐構造を有することを特徴とする請求項６に記載の化粧用ブラシアセンブリ。
【請求項８】
前記筒状部材の上部には傾斜面が設けられていることを特徴とする請求項６に記載の化粧用ブラシアセンブリ。
【請求項９】
前記収容部の下部面には、長さ可変部材が最短長さに縮小した時、前記基短片部材の上部に係脱自在に係合する下方係止爪が設けられていることを特徴とする請求項６に記載の化粧用ブラシアセンブリ。
【請求項１０】
前記収容部の下部面と前記ガイド部材の下部面との間には、前記長さ可変部材の複数の前記短片部材を外囲する弾性部材が設けられていることを特徴とする請求項６に記載の化粧用ブラシアセンブリ。
【発明の詳細な説明】
【技術分野】
【０００１】
本発明は、ブラシ保護キャップの開放動作により円筒部材に内蔵されているブラシを外部に容易に露出することができる化粧用ブラシアセンブリに関し、より詳しくは、保護キャップを円筒部材から滑らかに取り外し可能な化粧用ブラシアセンブリに関する。
【背景技術】
【０００２】
一般に、化粧用ブラシアセンブリは、粉体化粧品の化粧に用いられる化粧用具であって、通常、把手部材と、把手部材の一端に取り付けられたブラシとからなる。そして、ブラシアセンブリの上部には、当該ブラシの保管のためのブラシ保護キャップが設けられる。従って、ブラシ保護キャップをブラシアセンブリの上部から取り外すことで外部に露出するブラシをその用途に合わせて使用し、ブラシの使用が済んだ後は、保護キャップをブラシアセンブリの上部に被せて保管する（特許文献１参照。）。
【０００３】
かかる従来の化粧用ブラシアセンブリでは、把手部材とブラシとを一体形で作製しているため、全体長が長いことからハンドバック等に収納して携帯するのが困難であった。ブラシは、保護キャップによってのみ被せられているので、保護キャップを紛失してしまうとブラシが外部に露出されたまま放置されるようになり、ブラシが傷つけられたりまたは異物等が付着するという不具合がある。
【０００４】
従って、前記のような問題点を解決するために、ブラシアセンブリの把手部にブラシを内蔵した状態で保管し、後でブラシを使用したい時は、ブラシを把手部の外部に露出することができるブラシアセンブリが求められている。
【０００５】
一方、保護キャップがブラシアセンブリの上部から容易に取り外されることを抑えるために、保護キャップが被せられるブラシアセンブリの上部の外周面には突条が設けられる。しかし、保護キャップを繰り返し開閉すると、互いに接触する前記突条と保護キャップの内側面が摩耗してスクラップが生成する。かかるスクラップは、ブラシの汚染原因として働き、この結果、ブラシアセンブリの美麗さが損なわれるという不具合が生じる。
【特許文献１】特開平１０−１６６７７９号公報（第２頁、図１−６）
【発明の開示】
【発明が解決しようとする課題】
【０００６】
本発明は、前記のような従来の問題点を解決するためになされたものであって、その目的は、保護キャップの開放動作により内蔵されているブラシを容易に露出することができるのみならず、保護キャップの繰り返しの開閉動作によってもスクラップが発生しない化粧用ブラシアセンブリを提供することである。
【課題を解決するための手段】
【０００７】
前記目的を達成するために、本発明の第１の実施例によると、化粧用ブラシアセンブリは、両端が開放された貫通形ガイド部材が内側下部に固設されている両端開放形第１の円筒部材と、前記第１の円筒部材の内部に摺動自在に収容されブラシが上部に設けられており孔が形成されているボディと、前記ボディから前記ブラシに向かって上方に延び前記孔と連通する中空部と上部開口を有する貫通形上方延長部材とを有するブラシ保持体と、前記第１の円筒部材の下部が摺動自在に収容される第２の円筒部材と、前記第１の円筒部材の上部に被され、前記上方延長部材の上部開口に係脱自在に係止する押込突起を有する保護キャップ、及び前記ガイド部材の下部に位置するように前記第２の円筒部材の内側底面に固定される保持板と、前記保持板から前記上方延長部材まで延び長手方向に伸縮自在に連結された複数の短片部材を有する長さ可変部材と、を有し、前記複数の短片部材は、前記保持板が連結されており前記ガイド部材に係脱自在に結合する基短片部材と、前記基短片部材に摺動自在に収容され前記ブラシ保持体に結合する結合部とを有する結合短片部材を含み、前記上方延長部材の内部に位置する前記長さ可変部材の上端部には、ばねにより上方に付勢される円筒部材が設けられていることを特徴とする。
【０００８】
また、本発明の第２の実施例によると、中央に貫通孔が形成されている結束部を下部に有するブラシからなるブラシ部材と、前記ブラシが上方に突出自在に内蔵される第１の円筒部材と、前記第１の円筒部材の下部が摺動自在に収容される第２の円筒部材と、前記第１の円筒部材の上部に被される保護キャップと、を有する化粧用ブラシアセンブリは、前記ブラシが上部に収容され下部に凹溝が形成されている収容部及び収容部から下方に延びる貫通体からなるボディを有し、収容部には前記ブラシの貫通孔に挿入されるように上方に延び係止段が設けられた貫通口が上端部に形成されている中空形上方延長部材が設けられ、上方延長部材の中空部にはばねにより付勢される円筒部材が移動自在に内蔵され、収容部には前記凹溝と上方延長部材の中空部とを連通させる孔が形成されているブラシ保持体と、前記貫通体が取り外し自在に嵌合され前記第１の円筒部材の中空部の下部に固定され下部面に孔が形成されている円筒形ガイド部材、及び前記第２の円筒部材の内側底面に固定される保持板と前記ガイド部材の孔を挿通するように保持板から上方に延び上部に開口が形成されている円筒形基短片部材を有する保持部材と、基短片部材の内部に摺動自在に内蔵され上部に開口が形成されている円筒形中間短片部材と、中間短片部材の内部に摺動自在に内蔵され前記収容部の凹溝に結合する結合部を上部に有し切欠部を外部側壁に有する中空形結合短片部材と、中間短片部材の内側面の上部に跨るように結合短片部材の切欠部を横切って設けられる水平部材と水平部材から上方に延びて結合短片部材の内部と収容部の孔を挿通して円筒部材の下部に結合する垂直部材を有する最小短片部材を備えてなる長手方向に伸縮自在の長さ可変部材と、を含み、前記保護キャップの内側面には、前記上方延長部材の貫通口から上方延長部材の中空部に挿入される挿入端部を有する押込突起が設けられ、前記保護キャップの内側には、前記上方延長部材の貫通口から上方延長部材の内部に挿入され係止段に係止する係止爪が設けられた挿入端部を有する押込突起が設けられていることを特徴とする。
【発明の効果】
【０００９】
本発明によると、第１の円筒部材に内蔵されているブラシを保護キャップの引出し動作により容易に外部に露出することができ、また、上方延長部材の内部をばねの付勢力を受けている円筒部材が摺動するため押込突起の挿入端部を上方延長部材から容易に取り外すことができる。
【００１０】
以下で説明する実施形態は、本発明の実施形態を単に例示するものに過ぎず、本発明の属する分野の当業者であれば請求の範囲に記載された本発明の思想及び要旨を逸脱することなく本発明に対する修正及び変更を加えることができることが自明である。
【発明を実施するための最良の形態】
【００１１】
［第１の実施形態］
まず、図１乃至図１１を参照して、本発明の第１の実施形態に係る化粧用ブラシアセンブリを説明する。
【００１２】
本発明の第１の実施形態に係る化粧用ブラシアセンブリは、両端が開放されている所定の長さの中空形第１の円筒部材（第１の部材）２２０を有する。第１の円筒部材２２０の下部は、有底の中空形第２の円筒部材（第２の部材）２３０に収容され、第１の円筒部材２２０の上部には、円筒状の保護キャップ２４０が被せられる。
【００１３】
第１の円筒部材２２０の中空部には、ブラシ２１６が上部に設けられているボディ２１２を有するブラシ保持体２１０が摺動自在に収容される。ブラシ２１６の下部には、バインダー等により結束された結束部が設けられ、前記結束部の中央には、所定の大きさの貫通孔が形成される。この時、前記貫通孔をボディ２１２と一体形で作製されて上方に延びる中空形上方延長部材２１４が挿通し、ブラシ２１６中に埋められる。上方延長部材２１４の上端部には、係止段が内側に設けられた貫通口２１４ａが形成される。ボディ２１２の下部には、後述する長さ可変部材の結合部材２５６−１の結合部２５６−１ａが結合可能に開放されている結合口２１２ａが設けられる。ボディ２１２の下端部には、下方に延び下部が開放されている貫通体２１８が設けられる。貫通口２１４ａと結合口２１２ａとは、上方延長部材２１４の中空部を介して連通する。
【００１４】
ボディ２１２の下部には、所定の大きさの収容空間２１２ｂが設けられる。この時、収容空間２１２ｂの横方向の直径は貫通体２１８のそれより相対的に大きく維持される。なぜならば、後述するようにガイド部材２２２のの円筒体の上部に設けられた凸状の弾性片２２２−１が貫通体２１８を挿通して収容空間２１２ｂに配された状態でブラシ保持体２１０が弾性部材２７０の弾性力により上方に突出することを抑えるためである。
【００１５】
一方、第１の円筒部材２２０の内側下部には、両端が開放されている円筒形ガイド部材（筒状ガイド部材）２２２が設けられる。円筒形ガイド部材２２２は、第１の円筒部材２２０の下端部に固設する基部２２２ａと基部２２２ａから上方に延びる円筒体とからなる。円筒体の上部には、切欠部により所定の間隔で隔てられており、内側係止爪が形成されている凸状弾性片２２２−１が設けられる。凸状弾性片２２２−１は、その外径が円筒体のそれに比べて相対的に大きな構造を有する。
【００１６】
また、ガイド部材２２２の円筒体には、長手方向に伸縮自在の長さ可変部材２５０が挿通してブラシ保持体２１０のボディ２１２に連結可能な状態で設けられている。長さ可変部材２５０は、第１の円筒部材２２０が収容される第２の円筒部材２３０の内側底面に固定される円形の保持板２５２−１と保持板２５２−１から上方に延びる管状体２５２−２とが一体形をなす基短片部材２５２を有する。管状体２５２−２は、ガイド部材２２２の円筒体の内部を摺動自在である。管状体２５２−２の上部の外周面には、前記円筒体の上部に設けられた弾性片２２２−１の内側係止爪が係脱自在に係合する環状の溝２５２−２ａが設けられる。基短片部材２５２の上端部の内側には、後述するように管状体２５２−２を上方に貫通する短片部材が上方に離脱できないように働く係止爪が設けられる。
【００１７】
一方、保持板２５２−１には、管状体２５２−２の中空部と連通する孔が形成されており、この孔から管状体２５２−２の内部には、後述する中間短片部材２５４が収容される。中間短片部材２５４は、両端が開放されている円筒形をなす。中間短片部材２５４の上部開口の大きさは、下部開口のそれより相対的に小さく、この結果、後述するように中間短片部材２５４を挿通する最小短片部材２５６の上方への離脱を防止することができる。
【００１８】
最小短片部材２５６には、ブラシ保持体２１０のボディ２１２に設けられた結合口２１２ａにねじ止めする結合部２５６−１ａが上部に設けられており、両端が開放されている貫通形結合部材２５６−１を有する。貫通形結合部材２５６−１は、中間短片部材２５４の内部に摺動自在に収容される。結合部材２５６−1の下部には、垂直方向に切り欠いた切欠部２５６−１ｂが設けられる。結合部材２５６−１の長さは、中間短片部材２５４のそれより長く、好ましくは、管状体２５２−２のそれより長い。従って、後述するように長さ可変部材２５０が最短長さに縮小した時、結合部材２５６−１の上部が管状体２５２−２の上部開口から外部に露出する。
【００１９】
結合部材２５６−１には、切欠部２５６−１ｂを横切って設けられる水平部材２５６−２ａと水平部材２５６−２ａから上方に延びる垂直部材２５６−２とからなる連結部材が摺動自在に設けられる。垂直部材２５６−２は、結合部材２５６−１の上部開口を通り抜けて外部に露出できるほどの長さを有する。結合部材２５６−１の上部開口を通り抜けて突出する垂直部材２５６−２の上部には、円筒部材２５６−３が設けられ、垂直部材２５６−２の上端部と円筒部材２５６−３の下端部との間には、ばね２５６−４が設けられる。ばね２５６−４の付勢力により前記連結部材の水平部材２５６−２ａは、切欠部２５６−１ｂの上部に位置する。
【００２０】
従って、結合部材２５６−１の結合部２５６−１ａがボディ２１２の結合口２１２ａにネジ止めされた状態で円筒部材２５６−３は、上方延長部材２１４の内部に摺動自在に位置する。好ましくは、円筒部材２５６−３の上部には傾斜面が２５６−３ａが設けられる。傾斜面２５６−３ａは、後述するように上方延長部材２１４の貫通口２１４ａからの保護キャップ２４０の押込突起の挿入が邪魔されないようにする。
【００２１】
一方、水平部材２５６−２ａの横方向の長さは、中間短片部材２５４の内部を摺動自在になる程度に小さい反面、上部開口の直径よりは大きく維持される。これにより、長さ可変部材２５０が最大の長さに伸張した時に、水平部材２５６−２ａが中間短片部材２５４の上部開口２５４ａの内側に結合する。
【００２２】
図面では、結合部材２５６−１の結合部２５６−１ａがネジ加工されており、かかる結合部２５６−１ａが結合口２１２ａにネジ止めされることと示されているが、前記結合部２５６−１ａと結合口２１２ａとの結合形態はこれに限定されることではない。また、図面では、中間短片部材２５４を一つにしているが、中間短片部材２５４の個数はこれに限定されることではなく、二つ以上に構成してもよい。また、結合部材２５６−１は、中間短片部材を介在することなく基短片部材２５２に直接収容してもよい。
【００２３】
短片部材２５４、２５６の下端部には、外側に延びるフランジ（図示せず）が設けられ、これらのフランジは、短片部材２５４、２５６の上部開口に結合して、短片部材２５４、２５６が上方に離脱していない状態で長さ可変部材２５０が最長に伸張できるように働く。また、短片部材２５４、２５６のフランジ上には、斜め下向きに傾斜する傾斜面を有する突起（図示せず）が設けられる。前記突起は、長さ可変部材２５０が最長に伸張した時に短片部材の開口に嵌め込まれることで長さ可変部材２５０が伸張した状態を維持させる。
【００２４】
更に、第１の円筒部材２２０の内部におけるブラシ保持体２１０のボディ２１２とガイド部材２２２との間には弾性部材２７０が設けられる。弾性部材２７０が管状体２５２−２の内部に収容されている結合部材２５６−１の結合部２５６−１ａがボディ２１２の結合口２１２ａにネジ止めされた状態で、長さ可変部材２５０を外囲するように設けられる。長さ可変部材２５０が最短長さに縮小した状態で弾性部材２７０は収縮した状態を維持する反面、長さ可変部材２５０が最長に伸張した状態で弾性部材２７０は膨張するようになる。
【００２５】
保護キャップ２４０は、第１の円筒部材２２０の上部に被せられ得る構造を有する。保護キャップ２４０の内側上部面には、円形の付着板２４４が設けられ、付着板２４４には、下方に延びる押込突起２４２が設けられる。押込突起２４２は、ブラシ２１６中を通過して上方延長部材２１４の貫通口２１４ａを下方に挿通可能な挿入端部２４２ａを有する。挿入端部２４２ａは、ブラシ２１６中を通過する際にブラシ１６を傷つけることを防止できるように円錐構造または角錐構造等の鋭利な先端構造を有する。挿入端部２４２ａには、貫通口２１４ａを挿通した後、この貫通口に係止するように係止爪が設けられる。
【００２６】
以下、本発明の第１の実施形態に係る化粧用ブラシアセンブリの作動について説明する。
【００２７】
本発明の第１の実施形態に係る化粧用ブラシアセンブリの組立状態を示す図４と図１に示すように、ブラシ保持体２１０は、第１の円筒部材２２０の中空部に内蔵されており、ブラシ保持体２１０のボディ２１２に設けられたブラシ２１６も第１の円筒部材２２０の中空部に内蔵される。保護キャップ２４０は、押込突起２４２の挿入端部２４２ａが上方延長部材２１４の貫通口２１４ａに挿入され固定された状態で第１の円筒部材２２０の上部に被せられている。第２の円筒部材２３０は、長さ可変部材２５０が最短長さを維持するように第１の円筒部材２２０の下部に外挿している。
【００２８】
第２の円筒部材２３０の内側底面には、基短片部材２５２の保持板２５２−１が固定されており、結合部材２５６−１の結合部２５６−１ａは、ボディ２１２の結合口２１２ａにネジ止めされた状態を維持する。そして、第１の円筒部材２２０の内側下部に設けられた円筒形ガイド部材２２２の内部を挿通して上方に延出している基短片部材２５２の管状体２５２−２の内部には、中間短片部材２５４と最小短片部材２５６が順次に設けられる。管状体２５２−２の溝２５２−２ａに内側係止爪が係合しているガイド部材２２２の凸状弾性片２２２−１は、貫通体２１８の内部を挿通した後、ボディ２１２の下部に設けられた収容空間２１２ｂに位置する。
【００２９】
結合部材２５６−１の結合部２５６−１ａがボディ２１２の結合口２１２ａにネジ止めされた状態で結合部材２５６−１内を挿通している垂直部材２５６−２の上部に設けられた円筒部材２５６−３は、ばね２５６−４により付勢された状態で上方延長部材２１４の内部に位置する。長さ可変部材２５０を外囲している弾性部材２７０は、収縮した状態を維持する。
【００３０】
従って、凸状弾性片２２２−１は、収容空間２１２ｂに位置して弾性部材２７０の弾性力によりブラシ保持体２１０が上方に突出することを防止し、且つ弾性片２２２−１の上部に設けられた内側係止爪が管状体２５２−２の溝２５２−２ａに係合することで長さ可変部材２５０の長さが伸張することを防止するため、本発明に係る化粧用ブラシアセンブリは、最短長さを維持する。
【００３１】
以下、第１の円筒部材２２０に内蔵されているブラシ２１６を引き出す作動状態を説明する。
【００３２】
図５及び図１に示すように、挿入端部２４２ａに設けられた係止爪が貫通口２１４ａを挿通しそれに係止している状態で、ユーザー（図示せず）が第２の円筒部材２３０を把手した状態で保護キャップ２４０を矢印Ａ方向に移動させると、ブラシ保持体２１０の貫通体２１８は、ガイド部材２２２の円筒体の外面に沿って上方に移動しながらガイド部材２２２から離脱する。ブラシ保持体２１０の上方への移動に連動して長さ可変部材２５０が伸張し、ブラシ２１６は、第１の円筒部材２２０の上部開口を通過するようになる。弾性部材２７０の弾性力によりブラシ保持体２１０の上方への移動をより容易に行うことができる。
【００３３】
そして、ボディ２１２の結合口２１２ａに結合部２５６−１ａがネジ止めされている結合部材２５６−１が上方に移動することにより、中間短片部材２５４は、管状体２５２−２の内部を上方に移動する。この時、結合部材２５６−１の上方への移動は、結合部材２５６−１の切欠部２５６−１ｂの上端に位置する連結部材の水平部材２５６−２ａと中間短片部材２５４の上部開口２５４ａが当接するまで行われる。
【００３４】
図６は、長さ可変部材２５０が最長に伸張するまで保護キャップ２４０を上方に引っ張り出した状態を示す図である。図６及び図１に示すように、ブラシ２１６が第１の円筒部材２２０から完全に引き出されているが、押込突起２４２の挿入端部２４２ａが上方延長部材２１４の貫通口２１４ａに挿入された状態を維持する。連結部材の水平部材２５６−２ａは、結合部材２５６−１の切欠部２５６−１ｂの上端に位置する。弾性部材２７０も最長に伸張した状態を維持する。
【００３５】
以後、保護キャップ２４０を上方に移動し続けると、挿入端部２４２ａの係止爪が貫通口２１４ａに挿入され係止されているため、上方延長部材２１４も同一方向に移動する。この時、上方延長部材２１４の上方への移動に連動してボディ２１２の結合口２１２ａに結合部２５６−１ａがネジ止めされている結合部材２５６−１も同一方向に移動するが、連結部材の水平部材２５６−２ａは、中間短片部材２５４の上部開口２５４ａに嵌合しているため、止められた状態を維持する。
【００３６】
その結果、上方延長部材２１４が上方に移動するほど、水平部材２５６−２ａは切欠部２５６−１ｂに沿って下方に相対的に移動し、且つ垂直部材２５６−２の上部に設けられた円筒部材２５６−３の上端部と挿入端部２４２ａとが離れつつばね２５６−４が圧縮する。従って、挿入端部２４２ａに対する円筒部材２５６−３の上方への付勢力が減少するため押込突起２４２は、貫通口２１４ａから容易に離脱する。
【００３７】
図７及び図１に示すように、保護キャップ２４０が完全に離脱した状態で、ばね２５６−４の復元力により円筒部材２５６−３は、その上端部が貫通口２１４ａの係止段に当接するまで上方延長部材２１４に沿って上方に移動し、これに連動して垂直部材２５６−２も同一方向に移動する。水平部材２５６−２ａは、切欠部２５６−１ｂの上端に位置する。
【００３８】
以下、ブラシ２１６の使用が済んだ後、再び第１の円筒部材２２０にブラシ２１６を内蔵させる作動状態を説明する。
【００３９】
図８及び図１に示すように、ユーザー（図示せず）が第２の円筒部材２３０を把手した状態で第１の円筒部材２２０を矢印Ａ方向に移動させると、弾性片２２２−１の内側係止爪が管状体２５２−２の溝２５２−２ａから離脱し、円筒形ガイド部材２２２は上方に移動する。この時、ガイド部材２２２の上方への移動は、弾性片２２２−１がボディ２１２の収容空間２１２ｂに位置するまで行われ、その結果、ブラシ２１６は、第１の円筒部材２２０に内蔵される。長さ可変部材２５０は最長を維持する。そして、弾性部材２７０は、圧縮した状態を維持する。
【００４０】
次いで、図９、図１０及び図１に示すように、第１の円筒部材２２０に沿って第２の円筒部材２３０を上方に移動させることにより、長さ可変部材２５０が最短長さに縮小する。この時、基短片部材２５２の管状体２５２−２は、弾性片２２２−１の内側係止爪と溝２５２−２ａとが係合するまでガイド部材２２２の円筒体の内部を上方に移動する。
【００４１】
以後、保護キャップ２４０を第１の円筒部材２２０の上部に被せた状態で矢印Ｂ方向に移動させる。第１の円筒部材２２０の上端部が保護キャップ２４０の内部の付着板２４４に当接するまで保護キャップ２４０を下方に移動させると、押込突起２４２の挿入端部２４２ａは、上方延長部材２１４の貫通口２１４ａを挿通して、円筒部材２５６−３の上部面を下方に押し付ける。この時、押込突起２４２は、円筒部材２５６−３の傾斜面２５６−３ａに沿って下方に滑る。そして、挿入端部２４２ａの係止爪が貫通口２１４ａを挿通すると、ばね２５６−４の付勢力により上方に働く円筒部材２５６−３の作用力のため係止爪が貫通口２１４ａに係止される。
【００４２】
従って、本発明の第１の実施形態に係る化粧用ブラシアセンブリは、図４に示すように最短長さを有し、ブラシ２１６が第１の円筒部材２２０に内蔵され、
長さ可変部材２５０が最短長さに縮小し、押込突起２４２の挿入端部２４２ａが上方延長部材２１４の内部に位置するようになる。
【００４３】
［第２の実施形態］
以下、図１２乃至図２１を参照して、本発明の第２の実施形態に係る化粧用ブラシアセンブリを説明する。
【００４４】
本発明の第２の実施形態に係る化粧用ブラシアセンブリは、両端が開放されている所定の長さの中空形第１の円筒部材４２０を有する。第１の円筒部材４２０の下部は、有底の中空形第２の円筒部材４３０に収容され、第１の円筒部材４２０の上部には円筒形状の保護キャップ４４０が被せられる。
【００４５】
第１の円筒部材４２０に突出自在に内蔵されるブラシ部材４１０は、バインダー４１２で結束された結束部を下部に有するブラシ４１６からなる。ブラシ４１６の結束部の中央には、所定の大きさの貫通孔ｈが形成される。
【００４６】
第１の円筒部材４２０の中空部には、ブラシ部材４１０の下部が収められる収容部４６２とこの収容部４６２から下方に延びる貫通体４６４からなるボディを有するブラシ保持体４６０が摺動自在に内蔵される。収容部４６２と貫通体４６４とは、一体形で作製することができる。収容部４６２の上部には、上方突起４６２ａが設けられ、上方突起４６２ａには、ブラシ４１６に形成された貫通孔ｈを挿通可能な円筒形上方延長部材４６６が結合される。上方延長部材４６６の上端部には、係止段４６６ａが設けられた貫通口４６６ｂが形成される。上方延長部材４６６の内部には、ばね４６７により下部が弾性支持される円筒部材４６８が移動自在に設けられる。好ましくは、円筒部材４６８の上部には、傾斜面４６８ａが設けられる。
【００４７】
ボディの内部に位置する収容部４６２の下部には、所定の大きさの凹溝４６２ｂが形成される。凹溝４６２ｂには、後述する結合短片部材４５６の結合部４５６ａがネジ止めされる。一方、収容部４６２には、凹溝４６２ｂと上方延長部材４６６の中空部とを連通させる孔が形成される。
【００４８】
第１の円筒部材４２０の下部には、ブラシ保持体４６０の貫通体４６４が離脱自在に結合する円筒形ガイド部材４２１が設けられる。好ましくは、貫通体４６４は、円筒形ガイド部材４２１に嵌合方式で結合される。ガイド部材４２１の下部には、後述する基短片部材４５２ｂが挿通可能な孔が形成される。
【００４９】
一方、貫通体４６４の外面は、収容部４６２の縁部から垂直下方に所定の距離延びてから下方内側に傾斜して所定の距離を延び、再び垂直下方に延びる構造を有し、ガイド部材４２１の内面は、貫通体４６４の外面に対応する構造を有する。そして、貫通体４６４には、垂直下方に延びる切欠部４６４ａが形成されている。従って、貫通体４６４は、切欠部４６４ａによりガイド部材４２１に挿・脱する時に弾性作用を示す。即ち、貫通体４６４がガイド部材４２１から離脱した時、切欠部４６４ａの幅は、貫通体４６４がガイド部材４２１と結合した時の切欠部４６４ａの幅より相対的に広く維持される。かかる切欠部４６４ａの幅の変動は、貫通体４６４とガイド部材４２１との嵌合による。
【００５０】
また、ボディの内部に位置する収容部４６２の下部外側面と円筒形ガイド部材４２１の下部内側面との間には、弾性部材４７０が設けられる。
【００５１】
説明していない下方突起４６２ｃは、長さ可変部材４５０が最短長さに縮小した時に基短片部材４５２ｂの上部開口に結合可能な下方突起を示す。
【００５２】
ブラシ保持体４６０とガイド部材４２１は、その長さが伸縮可能な長さ可変部材４５０により連結される。長さ可変部材４５０は、第１の円筒部材４２０が収容される第２の円筒部材４３０の下部内側面とガイド部材４２１の下部外側面との間に位置する円形の保持板４５２ａと保持板４５２ａから上方に延びる円筒形基短片部材（筒状基短片部材）４５２ｂとが一体形をなす保持部材４５２を有する。保持板４５２ａは、第２の円筒部材４３０の下部内側面に接着剤等で付着される。
【００５３】
保持板４５２ａの基短片部材４５２ｂの中空部と連通する孔が形成されており、この孔から基短片部材４５２の内部に後述する中間短片部材４５４が収容される。中間短片部材を基短片部材４５２ｂの内部に収容するための通路は前記孔に限定されることではない。
【００５４】
円形の保持板４５２ａに隣接する基短片部材４５２ｂの下部には、外側突起（図示せず）が設けられる。外側突起は、基短片部材４５２ｂの下部の外周面に沿って環状をなすか、または基短片部材４５２ｂの下部の外周面に沿って所定の間隔隔てられている構造にすることができる。外側突起により基短片部材４５２ｂをガイド部材４２１の孔に嵌合状態で維持することができる。
【００５５】
基短片部材４５２ｂの内部には、両端が開放されている円筒形中間短片部材（筒状中間短片部材）４５４が内蔵される。中間短片部材４５４の上部開口は、下部開口より相対的に小さい大きさを有する。中間短片部材４５４は、保持板４５２ａの孔から基短片部材４５２ｂの内部に下方から上方に向けて挿入される。
【００５６】
中間短片部材４５４の内部には、両端が開放されている円筒形結合短片部材４５６が摺動自在に収容される。結合短片部材４５６の上部には、収容部４６２の凹溝４６２ｂにネジ止めされる結合部４５６ａが設けられ、その下部には、垂直方向に切り欠いた切欠部４５６ｂが設けられる。結合短片部材４５６の長さは、中間短片部材４５４のそれより長く、好ましくは、基短片部材４５２ｂのそれより長い。従って、後述するように長さ可変部材４５０が最短長さに縮小した時、結合短片部材４５６の上部が基短片部材４５２ｂの上部開口から外部に露出する。
【００５７】
結合短片部材４５６の内部には、切欠部４５６ｂを横切って設けられる水平部材４５８ａと水平部材４５８ａから上方に延びる結合短片部材４５６の上部開口を挿通する垂直部材４５８ｂからなる最小短片部材４５８が摺動自在に設けられる。結合短片部材４５６の結合部４５６ａが収容部４６２の凹溝４６２ｂにネジ止めされた状態で垂直部材４５８ｂの上部は、収容部４６２に形成された孔を通り抜けて上方延長部材４６６の内部に露出する。垂直部材４５８ｂの上部は、円筒部材４６８の下部に結合される。
【００５８】
その結果、円筒部材４６８が上方延長部材４６６の内部を上下方向に移動することにより最小短片部材４５８も同一方向に移動する。一方、水平部材４５８ａの長さは、中間短片部材４５４の上部開口の直径より大きく維持される。従って、長さ可変部材４５０が最長に伸張した時、水平部材４５８ａが中間短片部材４５４の上部開口の内側に結合しているため、結合短片部材４５６は、切欠部の高さに該当する分移動するようになる。
【００５９】
図面では、結合短片部材４５６の結合部がネジ加工されており、かかる結合部が凹溝４６２ｂにネジ止めされることとして示されているが、結合短片部材４５６の結合部はこれに限定されることではなく、ネジ加工されていない状態で接着剤等で凹溝４６２ｂに結合することもできる。また、図面では、一つの中間短片部材４５４が基短片部材４５２ｂと結合短片部材４５６との間に位置するように示しているが、中間短片部材４５４の個数はこれに限定されることではなく、二つ以上に構成してもよい。また、結合短片部材４５６は、中間短片部材を介在することなく基短片部材４５２ｂに直接収容してもよい。
【００６０】
短片部材４５４、４５６の下端部には、外側に延びるフランジ（図示せず）が設けられ、これらのフランジは、短片部材４５４、４５６が離脱していない状態で長さ可変部材４５０が最長に伸張できるように働く。また、短片部材４５４、４５６のフランジ上には、斜め下向きに傾斜する傾斜面を有する突起（図示せず）が設けられる。前記突起は、長さ可変部材４５０が最長に伸張した時に短片部材の開口に嵌め込まれることで長さ可変部材４５０が伸張した状態を維持するようにする。
【００６１】
基短片部材４５２ｂの内部に収容されている結合短片部材４５６の結合部４５６ａが収容部４６２の凹溝４６２ｂにネジ止めされた状態で、ブラシ保持体４６０のボディとガイド部材４２１の中空部に設けられた弾性部材４７０は、長さ可変部材４５０を外囲する。ブラシ保持体４６０の貫通体４６４がガイド部材４２１に嵌合すると、弾性部材４７０は収縮した状態を維持し、貫通体４６４がガイド部材４２１から離脱すると弾性部材４７０は膨張するようになる。
【００６２】
保護キャップ４４０は、第１の円筒部材４２０の上部に被せ得る円筒形構造を有する。保護キャップ４４０の内側上部面には、円形の付着板４４４が設けられ、付着板には、下方に延びる押込突起４４２が設けられる。押込突起４４２は、ブラシ４１６中を通過して上方延長部材４６６の貫通口４６６ｂを挿通可能な挿入端部４４２ａを有する。挿入端部４４２ａは、ブラシ４１６中を通過する時にブラシを傷つけることが防止できるように円錐構造または角錐構造を有する。挿入端部４４２ａの先端には、貫通口４６６ｂを挿通した後、上方延長部材４６６の上部に設けられた係止段４６６ａに係止することができるように係止爪が設けられる。
【００６３】
そして、後述するように、円筒部材４６８の上方への作用力が貫通口４６６ｂを挿通した挿入端部４４２ａに働いた時、押込突起４４２が上方延長部材４６６の内部で一方に傾くことができるように、押込突起４４２を弾性材質で作製する。このように押込突起が一方に傾くことにより、挿入端部４４２ａの係止爪は、係止段４６６ａに堅固に係止される。
【００６４】
以下、本発明の第２の実施形態に係る化粧用ブラシアセンブリの作動について説明する。
【００６５】
本発明の第２の実施形態に係る化粧用ブラシアセンブリの組立状態を示す図１３及び図１２に示すように、ブラシ４１６を有するブラシ部材４１０とブラシ保持体４６０は、第１の円筒部材４２０の中空部に内蔵されており、保護キャップ４４０は、第１の円筒部材４２０の上部に被せられ、第２の円筒部材４３０は、第１の円筒部材４２０の下部に外挿している。第２の円筒部材４３０の下部板上には、保持部材４５２の保持板４５２ａが固定されており、第１の円筒部材４２０の内側下部に設けられた円筒形ガイド部材４２１の孔から上方に延びている基短片部材４５２ｂの内部には、中間短片部材４５４と、結合短片部材４５６と、最小短片部材４５８が直径の大きさの順に収容される。この時、結合短片部材４５６の結合部４５６ａは、収容部４６２の凹溝４６２ｂにネジ止めされている。
【００６６】
ブラシ保持体４６０の貫通体４６４が円筒形ガイド部材４２１に嵌合している状態で長さ可変部材４５０を外囲している弾性部材４７０は、ブラシ保持体４６０の貫通体４６４とガイド部材４２１の内部で収縮した状態を維持し、貫通体４６４に形成された切欠部の幅は、狭まれた状態を維持する。
【００６７】
一方、保護キャップ４４０に設けられた押込突起４４２は、上方延長部材４６６の内部でばね４６７の付勢力を受けている円筒部材４６８の上方への作用力により一方に傾き、その結果、押込突起４４２の挿入端部４４２ａに設けられた係止爪は、上方延長部材４６６の上部開口に設けられた係止段４６６ａに係止する。その結果、保護キャップ４４０は、第１の円筒部材４２０から任意に離脱できないほどに堅固に把持される。
【００６８】
以下、第２の円筒部材４３０に内蔵されているブラシ４１６を引き出す作動状態を説明する。
【００６９】
図１４及び図１２に示すように、ユーザー（図示せず）が第２の円筒部材４３０を把手した状態で保護キャップ４４０を矢印Ａ方向に移動させると、挿入端部４４２ａの係止爪が係止段４６６ａに係止しているため、ブラシ保持体４６０の貫通体４６４が円筒形ガイド部材４２１から離脱しながらブラシ保持体４６０が上方に移動し、これに連動して長さ可変部材４５０が伸張する。
【００７０】
中間短片部材４５４は、基短片部材４５２ｂの内部を上方に移動し、結合短片部材４５６は、中間短片部材４５４の内部を上方に移動する。この時、結合短片部材４５６の上方への移動は、結合短片部材４５６の切欠部４５６ｂの上端に位置する最小短片部材４５８の水平部材４５８ａと中間短片部材４５４の上部開口とが当接するまで行われる。
【００７１】
弾性部材４７０の弾性力によりブラシ保持体４６０の上方への移動がより容易に行われる。そして、貫通体４６４がガイド部材４２１から離脱した状態で、貫通体４６４に形成された切欠部４６４ａの幅は最大の長さを維持する。
【００７２】
図１５は、長さ可変部材４５０が最長に伸張するまで保護キャップ４４０を上方に引っ張り出した状態を示す図であって、ブラシ４１６が第１の円筒部材４２０から完全に引き出され、上方延長部材４６６の内部に位置する押込突起４４２が円筒部材４６８の上方への作用力により一方に傾いた状態を維持し、最小短片部材４５８の水平部材４５８ａは、結合短片部材４５６の切欠部４５６ｂの上端に位置する。
【００７３】
以後、図１６及び図１２に示すように、保護キャップ４４０を上方に移動し続けると、挿入端部４４２ａの係止爪が係止段４６６ａに係止しているため、上方延長部材４６６も同一方向に移動する。この時、上方延長部材４６６の上方への移動に連動して収容部４６２とこの収容部４６２の凹溝４６２ｂにネジ止めされている結合短片部材４５６も同一方向に移動するが、最小短片部材４５８は、水平部材４５８ａが中間短片部材４５４の上部開口に嵌合しているため、止められた状態を維持する。その結果、上方延長部材４６６が上方に移動するほど、最小短片部材４５８と結合している円筒部材の上端部と係止段４６６ａとが離れながら、ばね４６７が圧縮されることで挿入端部４４２ａに対する円筒部材４６８の上方への作用力が減少するため、押込突起４４２は直立状態に戻り、貫通口４６６ｂから容易に離脱する。
【００７４】
図１７及び図１２に示すように、保護キャップ４４０が完全に離脱した状態で、ばね４６７の復元力により円筒部材４６８の上端部が係止段４６６ａに当接するまで上方延長部材４６６が矢印Ｂ方向に移動し、これに連動して結合短片部材４５６も同一方向に移動する。この時、水平部材４５８ａは、切欠部４５６ｂの上部に位置する。
【００７５】
以下、ブラシ４１６の使用が済んだ後、再び第１の円筒部材４２０にブラシ４１６を内蔵させる作動状態を説明する。
【００７６】
図１８及び図１２に示すように、ユーザー（図示せず）が第２の円筒部材４３０を把手した状態で第１の円筒部材４２０を矢印Ａ方向に移動させると、円筒形ガイド部材４２１が保持部材４５２の保持板４５２ａから離脱して上方に移動し、ブラシ部材４１０が第１の円筒部材４２０に内蔵される。この時、保持部材４５２の保持板４５２ａが第２の円筒部材４３０の下部板上に固定されているため、長さ可変部材４５０は、最長に伸張した状態を維持する。そして、第１の円筒部材４２０の上方への移動は、円筒形ガイド部材４２１の上端部が収容部４６２の外側下部面に当接するまで行われる。円筒形ガイド部材４２１の上方への移動により弾性部材４７０は圧縮した状態を維持する。
【００７７】
次いで、図１９、図２０及び図１２に示すように、保護キャップ４４０を第１の円筒部材４２０の上部に被せた状態で矢印Ｄ方向に移動させる。第１の円筒部材４２０の上端部が保護キャップ４４０の内部の付着板に当接するまで保護キャップ４４０を下方に移動させると、押込突起４４２の挿入端部４４２ａは、上方延長部材４６６の貫通口を挿通して、円筒部材４６８の上部面を下方に押し付ける。この時、押込突起４４２は、円筒部材４６８の傾斜した傾斜面に沿って一方に傾く。そして、挿入端部４４２ａの係止爪が貫通口を挿通すると、ばね４６７の付勢力により上方に働く円筒部材４６８の作用力のため係止爪が係止段４６６ａに係止し、押込突起は、上方延長部材４６６の内部で傾斜した状態を維持する。
【００７８】
第２の円筒部材４３０を矢印Ｅ方向に移動させることにより、長さ可変部材４５０を最短長さに縮小する。
【００７９】
従って、本発明に係る化粧用ブラシアセンブリは、図１３に示すように最短長さを有し、ブラシ４１６が第１の円筒部材４２０に内蔵され、長さ可変部材４５０が最短長さに縮小し、押込突起４４２の挿入端部が上方延長部材４６６の内部に位置するようになる。
【図面の簡単な説明】
【００８０】
【図１】本発明の第１の実施形態に係る化粧用ブラシアセンブリの分解断面図である。
【図２】本発明の第１の実施形態に係る化粧用ブラシアセンブリの基短片部材の斜視図である。
【図３】本発明の第１の実施形態に係る化粧用ブラシアセンブリの長さ可変部材の分離斜視図である。
【図４】本発明の第１の実施形態に係る化粧用ブラシアセンブリの結合状態を示す断面図である。
【図５】保護キャップを上方に移動させる状態を示す断面図である。
【図６】長さ可変部材が最長に伸張した状態を示す断面図である。
【図７】ブラシが完全に露出した状態を示す断面図である。
【図８】ブラシを第１の円筒部材に再び内蔵させた状態を示す断面図である。
【図９】第２の円筒部材を上方に移動させる状態を示す断面図である。
【図１０】保護キャップを第１の円筒部材の上部に被せた状態を示す断面図である。
【図１１】本発明の第１の実施形態に係る化粧用ブラシアセンブリのガイド部材を示す斜視図である。
【図１２】本発明の第２の実施形態に係る化粧用ブラシアセンブリの分解断面図である。
【図１３】本発明の第２の実施形態に係る化粧用ブラシアセンブリの結合状態を示す断面図である。
【図１４】保護キャップを上方に移動させる状態を示す断面図である。
【図１５】長さ可変部材が最長に伸張した状態を示す断面図である。
【図１６】押込突起の挿入端部が貫通口から離脱する直前の状態を示す断面図である。
【図１７】ブラシが完全に露出した状態を示す断面図である。
【図１８】ブラシを第１の円筒部材に再び内蔵させた状態を示す断面図である。
【図１９】保護キャップを第１の円筒部材の上部に被せた状態を示す断面図である。
【図２０】押込突起の挿入端部が上方延長部材の貫通口を挿通し、第２の円筒部材を上方に移動させる状態を示す断面図である。
【図２１】長さ可変部材の結合短片部材と最小短片部材との結合状態を示す斜視図である。
【符号の説明】
【００８１】
２１０、４６０  ブラシ保持体
２２０、４２０  第１の円通部材
２２２、４２１  円筒形ガイド部材
２２２−１  弾性片
２３０、４３０  第２の円筒部材
２４０、４４０  保護キャップ
２５０、４５０  長さ可変部材
２５２、４５２ｂ  基短片部材
２７０、４７０  弾性部材
４１０  ブラシ部材
【図１】
2004167249.tif 000003
【図２】
2004167249.tif 000004
【図３】
2004167249.tif 000005
【図４】
2004167249.tif 000006
【図５】
2004167249.tif 000007
【図６】
2004167249.tif 000008
【図７】
2004167249.tif 000009
【図８】
2004167249.tif 000010
【図９】
2004167249.tif 000011
【図１０】
2004167249.tif 000012
【図１１】
2004167249.tif 000013
【図１２】
2004167249.tif 000014
【図１３】
2004167249.tif 000015
【図１４】
2004167249.tif 000016
【図１５】
2004167249.tif 000017
【図１６】
2004167249.tif 000018
【図１７】
2004167249.tif 000019
【図１８】
2004167249.tif 000020
【図１９】
2004167249.tif 000021
【図２０】
2004167249.tif 000022
【図２１】
2004167249.tif 000023